(57)【要約】【構成】  本発明は、２つの構成部材からなるスナップ嵌め式拘束パネルファスナー構造を提供する。このパネルファスナー構造は、スナップ嵌めによって取り付け可能なフェルール部とねじ構造体とを有する。固着機構があるため、これら２つの構成部材の予期しない分離はない。本発明の２つの構成部材からなる構造では、好適には、フェルールを非常に硬い、耐久性のある金属で構成し、これを他の構成要素をもつ印刷回路構成素子に音波半田付けしてから、厳しい音波半田付け環境とは別な場所で、回路構成素子を実装したフェルールにスナップ嵌めする。このフェルールとねじ保持体に外側フランジを形成し、レバーなどの回動部材を拘束する。このため、取り付けられたパネルを他の構造体に固着するためだけでなく、他のハードウェアをパネルに固着するためにもこのパネルファスナー構造を利用することができる。
2005517869.tif 000002
【特許請求の範囲】
【請求項１】
大きな頭部、軸部およびこの軸部より直径が大きいねじ形成部をもつねじと、
上部にフランジをもち、上記ねじを受け取るボアを形成し、かつ複数の軸方向に突出する弾性フィンガーを底部に形成した保持体であって、これらフィンガーそれぞれが上記軸部に隣接して外向き突起部と内向きフィンガー先端をもち、静止時これらフィンガー先端間の径方向距離が上記ねじの上記ねじ形成部の直径より小さいが、上記軸部の直径より大きい保持体と、
上記ねじ頭部と上記保持体フランジとの間で作用するばね手段と、そして
スナップ作用によって上記弾性保持体フランジに接合するような寸法の第１内部環状フランジとともにボアを形成したフェルールとを設けることによって、上記第１内部フランジに上記突起部を強制的に係合させることを特徴とする拘束式パネルファスナー構造。
【請求項２】
上記フェルールがさらにその底部端部に隣接して取り付け手段を有する請求項１記載のパネルファスナー構造。
【請求項３】
上記フェルールがさらにその底部端部に近接して第２の半径方向に突出する外側フランジを有する請求項２記載のパネルファスナー構造。
【請求項４】
上記取り付け手段がパネルの開口に係合するスナップ嵌めフィンガーである請求項２記載のパネルファスナー構造。
【請求項５】
さらに、上記保持体フィンガー先端の内面に底部に向かうベベルを有する請求項１記載のパネルファスナー構造。
【請求項６】
上記ねじの上記ねじ形成部が、上記ねじの上向き引き抜き時に上記ベベルに係合する下向き角の上部ランドを有し、これによって上記保持体フィンガーが上記フェルールの第１内側環状フランジに外向きに当接し、さらに引き抜かれることを防止した請求項５記載のパネルファスナー構造。
【請求項７】
上記フェルールがさらにその底部端部に近接して、保持体フランジと第２フェルール外側フランジとの間に設けられたバレル部を有する請求項４記載のパネルファスナー構造。
【請求項８】
請求項７記載のパネルファスナー構造を有するとともに、上記保持体フランジと第２フェルール外側フランジとの間に拘束された装置を有し、これによってこの装置をパネルに取り付ける、各構成部材からなる構造。
【請求項９】
上記装置が、上記フェルールのバレルの外面の周囲で回動できるレバーである請求項８記載の構造。
【請求項１０】
上記取り付け手段が上記フェルールを回路構成素子に強固に固着する請求項２記載の構造。
【請求項１１】
上記取り付け手段が、半田接合部を有する請求項１０記載のパネルファスナー構造。
【請求項１２】
上記パネルが回路構成素子である請求項１１記載のパネルファスナー構造。
【発明の詳細な説明】
【技術分野】
【０００１】
本願は、本願の優先権を主張する２００２年２月１１日に出願され、“２枚スナップ嵌め構成のパネルファスナー”を発明の名称とする仮特許出願第６０／３５４，９２０号に関するものである。
本発明は、第１パネルに取り付けられるフェルール内に延設自在に拘束される後退可能なねじを備えた形式の拘束式パネルファスナーに関する。この形式のファスナーの場合、通常、ばねによってねじをそのねじ込み位置に保持するものであるが、さらに押し込まれると、第２パネルにねじ込まれ、２枚のパネルを接合できるようになっている。
【背景技術】
【０００２】
現在までに知られているパネルファスナーの場合、フェルールを第１パネルに取り付けるために各種の手段を利用している。この取り付け手段としてスナップ嵌め手段、クリンチ嵌め手段が併用されている。ねじについては、各種の手段によってフェルール内に拘束することができるが、拘束手段は通常永久的な手段であるため、いったん各部材要素を組み立てたなら、ファスナーのこれら部材要素をパネルに同時に取り付ける必要がある。従って、各部材要素は、ファスナー装置の製造過程の各工程で同じ環境の作用を受ける。
【発明の開示】
【発明が解決しようとする課題】
【０００３】
ところが、これが望ましくない場合もあるため、問題が生じる。パネルの場合、ねじ／ばね構造の材質と相容れない過剰な熱などの製造環境の作用を受けることがある。本来、これらファスナーのねじ／ばね構造は、回路構成素子の製造時などの多くの厳しい製造環境では耐えることができないよりデリケートな構成をもつものであるが、音波半田付けなどの製造工程時に、あるいはこれら製造工程に先立って、パネルファスナーを所定部に取り付ける必要がある。従って、永久的に構成したパネルファスナーには、すべての構成部材を永久的に保持できる特徴があるが、これはすべての用途で成立するわけではない。即ち、パネルファスナーを使用して２枚のパネルを固定するだけでなく、このパネルファスナーを使用して他の構造体を支持しなければならない用途がある。これらの場合には、構造体をパネルファスナーの本体に取り付けるために、あるいは取りはずすためのなんらかの手段も必要である。さらに、最初にフェルールを取り付けつけ、その後にばね／ねじ構造を別な位置において取り付けるなど段階を踏んでパネルファスナーをパネルに取り付け別な用途もある。
【０００４】
拘束式パネルファスナー構造の場合には、従って、フェルール部分を対象とするパネルに取り付けるさいに、このパネルファスナーの他の部材を組み立てる工程とは別な工程で、取り付ける必要がある。また、特別な工具を使用することなく、各構成部材をすばやくかつ効率よく組み立てる必要もある。さらに、余分なコストをかけることなく、また構成を複雑にすることなく、他の構造を取り付けることができる拘束式パネルファスナー構造も望まれている。
【課題を解決するための手段】
【０００５】
本発明は、上記に説明した従来技術における問題を解決するものである。本発明は、２つの構成部材からなる、スナップ嵌め拘束式パネルファスナーにおいて、これら２つの構成部材を異なる製造工程時にそれぞれ分離した構造体とするパネルファスナー構造に関する。このために、本発明では、着脱式フェルール部分とスナップ嵌めねじ／ばね／保持体構造とを有する、スナップ嵌め構成部材からなる構造を使用する。本発明による２つの部材からなる構造の場合、例えば、非常に硬く、耐久性のある金属からなる別体としてのフェルールを、他の要素ももつ印刷回路構成要素にまず音波半田付けする。次に、所望に応じて、厳しい音波半田付け環境とは別な環境で、回路構成要素に実装したフェルールにねじ構造体をスナップ嵌めする。
【０００６】
本発明の別な実施態様では、フェルールおよびねじ保持体がレバーなどの回動構造体を拘束する係合外側フランジを有しているため、パネルファスナー構造を、パネルを所定の構造体に固着するために利用できるだけでなく、他のハードウェアを固着するためにも利用することができる。一つの実施態様では、フェルールのバレルにレバーを嵌合し、ねじ／ばね保持体の上部フランジによってフェルールの底部フランジに対して保持する。２つの部材を接合するために十分なスナップ力を利用できるため、通常のレバー動作による力に耐えることができる。
【発明の効果】
【０００７】
即ち、本発明は、大きな頭部、軸部およびこの軸部より直径が大きいねじ形成部をもつねじからなる拘束式パネルファスナー構造を提供する。このパネルファスナー構造は、上部にフランジをもち、上記ねじを受け取るボアを形成し、かつ複数の軸方向に突出する弾性フィンガーを底部に形成した保持体であって、組み立てた場合に、これらフィンガーそれぞれが上記軸部に隣接して外向き突起部と内向きフィンガー先端をもつ保持体を有する。そして、この保持体については、静止時これらフィンガー先端間の径方向距離が上記ねじの上記ねじ形成部の直径より小さいが、上記軸部の直径より大きくなるように構成する。上記ねじ頭部と上記保持体フランジとの間で作用し、ねじをその後退位置に変位させるばね手段を設ける。スナップ作用によって上記弾性保持体フランジに接合するような寸法の第１内部環状フランジとともにボアを形成したフェルールを設けることによって、上記第１内部フランジに上記突起部を強制的に係合させ、フェルールと保持体を接合する。本発明では、さらに、フェルールにその底部端部に隣接して取り付け手段を設けるとともに、その底部端部に近接して第２の半径方向に突出する外側フランジを設ける。本発明のパネルファスナー構造を使用した場合には、スナップ嵌めフィンガーと半田付け接合部とがフェルールを回路構成要素パネルの開口に強固に固着する。また、フェルールには、その底部に近接して、保持体フランジと第２外側フランジとの間にバレル部を形成する。さらに、本発明のファスナー構造は、保持体フランジと第２フェルール外側フランジとの間に（保持体フランジとフェルール外側フランジによって）拘束された装置を有し、これによってこの装置をパネルに取り付けるものである。一つの実施態様では、この装置として、フェルールバレルの外面周囲で回動可能なレバーを使用する。この場合、保持体における各フィンガーの内面に、底部に向いたベベルを形成するのが好ましい。このように構成すると、ねじのねじ形成部が、ねじをフェルールから後退させた場合にベベルに係合する下向き角のランドをもつことになるため、固着作用を得ることができる。従って、ねじをパネルから取り外す場合、保持体フィンガーをフェルールの内側フランジに対して外向きに当接させると、ねじがさらに後退することはない。ねじを押し込み、次に保持体を引っ張り込んだ場合にのみ、ねじ構造体をフェルールから解除することができる。この作業では、各構成部材に異なる方向に力を作用させる必要があるため、フェルールからばね構造体が意味なく外れることがなくなる。
【０００８】
従って、本発明の目的は、最終組み立て位置とは別な位置で予め組み立てることができる分離可能なばね／ねじ構造体を備えたパネルファスナー構造を提供することである。本発明の別な目的は、特別な工具を使用する必要なく素早くかつ効率よく組み立てることができる組み立て式パネルファスナー構造を提供することである。本発明のさらに別な目的は、余分なコストをかけず、また構成を複雑にすることなく他の構造体を第１パネルに固着できる拘束式パネルファスナー構造を提供することである。これら以外の目的および作用効果については、本発明の好適な実施態様を示す添付図面および説明から明らかになるはずである。
【発明を実施するための最良の形態】
【０００９】
図１について説明すると、本発明では、２つの主ファスナー構成部材１１、１３をフランジ間において拘束レバー１５にスナップ嵌めする。なお、これらフランジは、２つの内側スナップ嵌め部材のいずれかに係合する。これら部材のうち上部の部材は、別な組み立て工程でパネル２５に予め取り付けられるフェルール２３のボア内にスナップ嵌合する保持体１２をもつねじ／ばね構造体２１である。これらの組み立て順序は、時間や場所に関して任意である。例えば、フェルールのパネルへの組み付け作業は、音波半田付け時に行うことができるが、この場合には、他の構成部材を製造環境における熱条件やその他の有害な条件にさらすことは望ましくない。以下に詳しく説明するように、各部材を組み立てると、レバー１５などの回動構成要素を支持することができる。
【００１０】
ねじ／ばね構造体を図２および図３について説明すると、ばね３３の内側にねじ３１を嵌合し、両者を保持体３５のボアに嵌合する。このねじは、頭部３０、軸部３２および軸部３２よりも直径が大きいねじ形成部３４をもつ。スナップ嵌めフィンガー４３を保持体の基部から軸方向に延設する。図３に詳しく示すように、保持体は、フランジ４１をもち、内部ボア４５の周囲部分にスナップ嵌めフィンガー４３を軸方向に延設する。スナップ嵌めフィンガーの端部外側には、フェルールの内部フランジにスナップ係合する突起部４７を外向きに形成する。フィンガー先端４９を内側に向けて形成し、スナップ嵌めフィンガー４２間の最も小さい直径が、ねじのねじ形成部３４の主直径より小さいが、ねじの軸部３２の直径よりも大きくなるように中心軸線の周囲に直径の小さい底部開口を形成する。従って、ねじを保持体に最初にねじ込んだときに、フィンガー先端４９が拡張し、ねじ形成部３４を受け取ることができ、次に軸部３２の周囲に当接する。このため、図４および図６に示すように、保持体のスナップ嵌めフィンガーの内向き表面によってねじが保持体内にすべり作用により拘束されることになる。フィンガー先端４９それぞれの内側縁部の周囲にベベル４８を形成する。このベベル４８が、図６についてより詳しく説明するように、ファスナーの固着作用に寄与する。
【００１１】
図４について説明すると、図１に示した各部材からなる構成の側面図である。図示のように、ねじ構造体２１は、レバー１５、フェルール２３およびパネル２５と位置が整合している。レバーの開口５０の内壁５２については、レバーの軸が回動できるように、フェルールバレル５４の外径と等しく形成する。図５に示すように、フェルール２３の領域５６については、内部環状フランジ５８を形成するそのボアの底部にそって径を大きくする。図６により詳しく図示するように、保持体スナップ嵌めフィンガーの外部突起が、フランジ５８が存在するにもかかわらずこの領域に延入し、保持体をフェルールにスナップ嵌め接合する。取り付けられたパネルの上面側に対するストッパーとして作用する外側フランジ５９が、レバーに当接し、これをパネルから離間する。さらに、フェルールは、パネル取り付け手段になるスナップアーム５５をもつ。
【００１２】
次に図６について説明すると、この図には、本発明の各構成部材が完全組み立て状態で示されている。レバー１５は、保持体フランジ４１とフェルールフランジ５９との間においてフェルールバレルの周囲に無理なく当接するため、一体となった各構成部材によりレバーをパネル２５に回動自在に取り付けることができる。図６から、保持体スナップ嵌めフィンガー先端の内面に放射状に形成したベベルの重要性を理解できるはずである。ねじはその後退位置でベベル４８にねじ山がかみ合うため、ねじをさらに後退させると、一番上のねじ山のランドとベベル表面との間に楔力が発生し、フェルールの内部フランジに対してスナップ嵌めフィンガーを外向きに押圧し、保持体をフェルールに固着する。従って、図６に示す完全組み立て状態にあるねじの頭部を引っ張っても、引っ張り力がフェルール／パネル接合の引っ張り限界を超えない限り、各構成部材が分離することはない。なお、これらの機械的関係によって、ねじ、保持体およびフェルールが与える同じ固着作用が、パネルファスナーが単独の場合も、あるいはこれを図６に示すように他の部材に装着する場合も、同様に得られる。フェルールからねじ構造体を取り外す場合、まず、より小さな直径のねじ軸部３２が保持体スナップ嵌めフィンガーの先端の間にくるまで、ねじを押し下げる必要がある。ねじが所定の位置に保持されている場合、フェルールから軸方向に保持体を引っ張り上げると、フィンガーを引っ込めることができる。対向する２つの作用が必要なため、各構成部材が偶然分離することもなく、また理由なく分離することもない。また、図６に示す一体化された各構成部材は、ねじを押し下げ、これをねじ構造体にねじ込むことによって（図示しない）シャシその他の部材に自蔵式ユニットとして装着することができる。
【００１３】
好適な実施態様では、フェルールの底部から軸方向に突出するスナップ嵌めフィンガー５５によるスナップ嵌合によってパネルをフェルールに取り付ける。なお、フェルールの基部には別なパネル取り付け手段を使用することができる。さらに、特許請求の範囲によって決定される本発明の精神および範から逸脱しなくても上記の好適な実施態様およびこれらと法律上等価な実施態様には、各種の変更、補強、改善を加えることができることはいうまでもない。
【図面の簡単な説明】
【００１４】
【図１】本発明の構成を示す展開図である。
【図２】ねじ／ばね構造体の展開図である。
【図３】ねじ／ばね構造体における保持体の側断面図である。
【図４】本発明の構成を示す側断面図である。
【図５】本発明におけるフェルール部材を示す側断面図である。
【図６】完全組み立て状態における本発明ファスナーの側断面図である。
【符号の説明】
【００１５】
１２：保持体、
１５：拘束レバー、
２１：ねじ／ばね構造体、
２３：フェルール、
２５：パネル、
３０：頭部、
３１：頭部、
３２：軸部、
３３：ばね、
３４：ねじ形成部、
３５：保持体、
４１：フランジ、
４３：スナップ嵌めフィンガー、
４５：ボア、
４７：突起部、
４８：ベベル、
４９：フィンガー先端、
５０：開口、
５４：フェルールバレル、
５５：スナップアーム、
５８：フランジ、
５９：外側フランジ。
【図１】
2005517869.tif 000003
【図２】
2005517869.tif 000004
【図３】
2005517869.tif 000005
【図５】
2005517869.tif 000006
【図６】
2005517869.tif 000007
【図４】
2005517869.tif 000008
【手続補正書】
【提出日】平成17年2月18日(2005.2.18)
【手続補正１】
【補正対象書類名】特許請求の範囲
【補正対象項目名】全文
【補正方法】変更
【補正の内容】
【特許請求の範囲】
【請求項１】
大きな頭部、軸部およびこの軸部より直径が大きいねじ形成部をもつねじと、
上部にフランジをもち、上記ねじを受け取るボアを形成し、かつ複数の軸方向に突出する弾性フィンガーを底部に形成した保持体であって、これらフィンガーそれぞれが上記軸部に隣接して外向き突起部と内向きフィンガー先端をもち、静止時これらフィンガー先端間の径方向距離が上記ねじの上記ねじ形成部の直径より小さいが、上記軸部の直径より大きい保持体と、
上記ねじ頭部と上記保持体フランジとの間で作用し、上記保持体の凹所において一端が受け取られるばね手段と、そして
スナップ作用によって上記弾性保持体フランジに接合するような寸法の第１内部環状フランジとともにボアを形成したフェルールとを設けることによって、上記第１内部フランジに上記突起部を強制的に係合させるものであって、該フェルールの外側の直径が上記保持体フランジの直径よりも小さいことを特徴とする拘束式パネルファスナー構造。
【請求項２】
上記フェルールがさらにその底部端部に隣接して取り付け手段を有する請求項１記載のパネルファスナー構造。
【請求項３】
上記フェルールがさらにその底部端部に近接して第２の半径方向に突出する外側フランジを有する請求項２記載のパネルファスナー構造。
【請求項４】
上記取り付け手段がパネルの開口に係合するスナップ嵌めフィンガーである請求項２記載のパネルファスナー構造。
【請求項５】
さらに、上記保持体フィンガー先端の内面に底部に向かうベベルを有する請求項１記載のパネルファスナー構造。
【請求項６】
上記ねじの上記ねじ形成部が、上記ねじの上向き引き抜き時に上記ベベルに係合する上部ランドを有し、これによって上記保持体フィンガーが上記フェルールの第１内側環状フランジに外向きに当接し、さらに引き抜かれることを防止した請求項５記載のパネルファスナー構造。
【請求項７】
上記フェルールがさらにその底部端部に近接して、保持体フランジと第２フェルール外側フランジとの間に設けられたバレル部を有する請求項４記載のパネルファスナー構造。
【請求項８】
請求項７記載のパネルファスナー構造を有するとともに、上記フェルールの外部にあって、上記保持体フランジと第２フェルール外側フランジとの間に拘束された装置を有し、これによってこの装置をパネルに取り付ける、各構成部材からなる構造。
【請求項９】
上記装置が、上記フェルールのバレルの外面の周囲で回動できるレバーである請求項８記載の構造。
【請求項１０】
上記取り付け手段が上記フェルールを回路構成素子に強固に固着する請求項２記載のパネルファスナー構造。
【請求項１１】
上記取り付け手段が、半田接合部を有する請求項１０記載のパネルファスナー構造。
【請求項１２】
上記パネルが回路構成素子である請求項８記載のパネルファスナー構造。
【国際調査報告】
2005517869.tif 000009